(57)【要約】      （修正有）【課題】舟体の耐久性と舟盛り料理の意匠効果を高めた舟盛り料理用容器を提供する。【解決手段】透明部材にて舟体１を形成し、上記舟体内の舟底１Ａ及び左右側壁１Ｂ，１Ｃに連続するリブ支持片３を付設し、上記舟体の舟底に料理盛り付け用の透明床板７を載せるとともに、上記舟体左右側壁のリブ支持片の上部３Ａ，３Ｂに料理盛り付け用の透明上板５を設けたものである。【選択図】図２
0003119227.tif 000002
【実用新案登録請求の範囲】
【請求項１】
透明部材にて舟体を形成し、上記舟体内の舟底及び左右側壁に連続するリブ支持片を付設し、上記舟体の舟底に料理盛り付け用の透明床板を載せるとともに、上記舟体左右側壁のリブ支持片の上部に料理盛り付け用の透明上板を載せてなることを特徴とする舟盛り料理用容器。
【請求項２】
上記透明上板と透明床板とのいずれか一方又は双方は、受皿板とし、この上に簾の子を敷設してなることを特徴とする請求項１記載の舟盛り料理用容器。
【請求項３】
上記透明上板と透明床板とのいずれか一方又は双方は、受皿板とし、この上に多孔板を敷設してなることを特徴とする請求項１記載の舟盛り料理用容器。
【請求項４】
上記透明上板と透明床板とのいずれか一方又は双方は、平板とし、この上面に吸収紙を敷設してなることを特徴とする請求項１記載の舟盛り料理用容器。
【請求項５】
上記透明上板と透明床板とに、脚部を形成したことを特徴とする請求項１〜４のうちいずれか１項に記載の舟盛り料理用容器。
【考案の詳細な説明】
【技術分野】
【０００１】
本考案は、舟盛り料理用容器に係り、特に、舟体の耐久性と舟盛り料理の意匠効果を高めたものに関する。
【背景技術】
【０００２】
従来から、舟盛り料理用容器が提供されている。その代表的なものに、木材を使用して舟体を形成し、この船底や甲板上に舟盛り料理を並べるものが提供されている（例えば、特許文献１参照。）。
【０００３】
また、簡易手段として、発泡スチロール等の発泡プラスチックで舟体を形成し、表面を木目調に装飾したものが提供されている（例えば、特許文献２参照。）。
【０００４】
【特許文献１】実開昭５１−１１６１９８号公報
【特許文献２】実公昭５６−２８１００号公報
【考案の開示】
【考案が解決しようとする課題】
【０００５】
上記木材を使用して舟体を形成した舟盛り料理用容器は、水洗いすることで木材の表面が変色する上に、刺身から染み出る血液やドリップを吸収して木材表面が急速に変色して雑菌が繁殖してしまい、外観や衛生面からも問題がある。
【０００６】
更に、上記発泡プラスチックで舟体を形成したものでは、耐久性に劣るため１回乃至は数回の使用に限定されてしまう。また、プラスチック製のために質感が悪く豪華な舟盛り料理用容器としては好ましくないという問題がある。
【０００７】
本考案はこのような点に基づいてなされたものであってその目的とするところは、舟体の耐久性と衛生面と舟盛り料理の意匠効果を高めた舟盛り料理用容器を提供することにある。
【課題を解決するための手段】
【０００８】
上記目的を達成するべく本考案の請求項１による舟盛り料理用容器は、透明部材にて舟体を形成し、上記舟体内の舟底及び左右側壁に連続するリブ支持片を付設し、上記舟体の舟底に料理盛り付け用の透明床板を載せるとともに、上記舟体左右側壁のリブ支持片の上部に料理盛り付け用の透明上板を設けたことを特徴とするものである。
【０００９】
また、請求項２による舟盛り料理用容は、請求項１記載において、上記透明上板と透明床板とのいずれか一方又は双方は、受皿板とし、この上に簾の子を敷設してなることを特徴とするものである。
【００１０】
また、請求項３による舟盛り料理用容器は、請求項１記載において、上記透明上板と透明床板とのいずれか一方又は双方は、受皿板とし、この上に多孔板を敷設してなることを特徴とするものである。
【００１１】
また、請求項４による舟盛り料理用容器は、請求項１記載において、上記透明上板と透明床板とのいずれか一方又は双方は、平板とし、この上面に吸収紙を敷設してなることを特徴とするものである。
【００１２】
また、請求項５による舟盛り料理用容器は、請求項１〜４のうちいずれか１項に記載の舟盛り料理用容器において、上記透明上板と透明床板とに、脚部を形成したことを特徴とするものである。
【００１３】
すなわち、本考案の舟盛り料理用容器によれば、透明部材にて舟体を形成することにより、見た目も涼しげである上に、船内の料理が見えるために見た目の料理が映える。そして、上記舟体内の舟底及び左右側壁に連続するリブ支持片を付設することで、舟強度や耐久性が得られる。更に、上記舟体の舟底に料理盛り付け用の透明床板を載せ、この下段側の船内料理が盛り付けされるとともに、上記舟体左右側壁のリブ支持片の上部に料理盛り付け用の透明上板を載せ、この上段側に船上料理が盛り付けされる。これにより、透明部材の舟体によって舟体内の料理が良く見えるようになり、上下二段の飾り付けで料理盛り付けの見栄えと豪華さが演出される。また、舟体内の透明床板と舟体上部の透明上板とは、舟体から分解されるために、使用後の洗浄が簡単・確実に行えるとともに刺身から染み出る血液・ドリップを吸収しないから衛生面の確保がなされる。
【００１４】
更に、上記透明上板と透明床板とのいずれか一方又は双方は、平板とし、この上面に吸収紙を敷設したものとすることできる。または、受皿板の上に簾の子乃至多孔板が敷設されている。これにより、刺身から染み出る血液等を効率良く直接的に吸収紙で吸収して回収したり、効率良く簾の子又は多孔板の隙間から受皿板に回収することで、下段の料理に液漏れして垂れ落ちないから、見栄えを悪くしない上に衛生が確保される。更に、上記透明上板と透明床板には、脚部が形成されているから、舟盛り料理を食する時は、上段の透明上板や下段の透明床板を舟体から取り外してテーブル上に並べて置くこともできる。
【考案の効果】
【００１５】
本考案の舟盛り料理用容器によると、透明部材にて舟体を形成したから、舟強度や耐久性が得られる上に見た目も涼しげで船内の料理が映える。上記舟体の透明床板と舟体の上部に透明上板を載せ、これらに料理が盛り付けされるから、上下二段の飾り付けで料理盛り付けの豪華さが演出できる。上記透明上板と透明床板とのいずれか一方又は双方は、この上面に吸収紙又は簾の子又は多孔板を敷設することで、刺身から染み出る血液等を効率良く回収できる。また、透明床板と透明上板とは舟体から分解されるため、使用後の洗浄が簡単・確実に行えて衛生面の確保ができる。
【考案を実施するための最良の形態】
【００１６】
以下、図１乃至図５を参照して本考案の第１の実施の形態を説明する。図１は舟盛り料理用容器の外観斜視図であり、図２は舟盛り料理用容器の展開斜視図、図３は舟盛り料理用容器の断面図、図４と図５は透明上板の断面図である。
【００１７】
本考案の舟盛り料理用容器１００は、下記のように構成されている。まず、図１と図２に示すように、アクリル樹脂を使用した透明部材にて舟体１が形成されている。上記舟体１は和船の形状を呈しておりその製法は、アクリル樹脂を金型で樹脂成形しても良いし、アクリル板材を裁断して接着成形しても良い。上記舟体１内の舟底１Ａ及び左右側壁１Ｂ，１Ｃに連続するＵ字状のリブ支持片３を多数枚等間隔に接合させている。これにより、舟体１の強度と左右側壁のリブ支持片３の上部３Ａ，３Ｂに料理盛り付け用の透明上板５を載せられる受け部材の機能を備えている。また、上記舟体１の舟底１Ａには、この舟底形状に形成した料理盛り付け用の透明床板７が載せられている。尚、透明上板５における平板９は上面９Ａと底面に脚９Ｂ，９Ｃを形成している。また、透明床板７の底面にも脚部７Ｂ，７Ｃが取り付けられている。これにより、透明床板７の底面が舟底１Ａに密着しないように形成されている。そして、平板９や透明床板７は、テーブル等に置いて使用することができる。
【００１８】
上記透明上板５は、図２に示すように、平板９とこの上面９Ａには、同形の吸収紙１０が載せられるようになっている。しかして、刺身Ｓ等をこの吸収紙１０に載せて並べた時に、刺身Ｓから出る血液やドリップＤを吸収紙１０に吸収することができ、下段の料理Ｇを汚さないように工夫されている。尚、上記透明床板７にも吸収紙１０を載せるようにしても良い。更に、上記舟体１における船首先端部の形状は荒磯用の船に見立ててある。また、上記舟体１における前後位置等には、舟体の左右に部材２が着脱可能に渡され、船尾には舵１３が着脱可能に付設されている。これにより、舟体１に一層の臨場感が醸し出され、舟盛り料理の演出効果が得られるように工夫されている。上記舟体１は、飾台１５に載せられる。
【００１９】
本考案の舟盛り料理用容器１００は、上記のように構成されており、以下のように作用して使用される。まず、透明部材により舟体１が形成されているから、見た目も涼しげであり、且つ又、船内の料理が見えるから見た目の料理が映える。また、上記舟体１内において、舟底１Ａ及び左右側壁に連続するリブ支持片３が付設されていることで、舟強度とその耐久性が得られる。更に、上記舟体１の舟底１Ａに料理盛り付け用の透明床板７を載せ、この下段側の船内料理が盛り付けされるとともに、上記舟体１における左右側壁１Ｂ，１Ｃのリブ支持片３の上部３Ａ，３Ｂに料理盛り付け用の透明上板５を載せ、この上段側に船上料理が盛り付けされる。これにより、透明部材の舟体１と相俟って、上下二段の料理盛り付けにより、一段と豪華さが演出される。
【００２０】
そして、実際に舟盛り料理を食する時は、図５に示すように、上段の透明上板５を舟体１から取り外してテーブル２０上に並べられる。また、下段の透明床板７も同様に、舟体１から取り外してテーブル上に並べられる。これにより、舟盛り料理が更に一段と豪華に盛り立てられる。
【００２１】
また、宴会で舟盛り料理を装飾した容器の後片付けは、舟体１内の透明床板７と舟体上部の透明上板５とが舟体から容易に分解されるため、使用後の洗浄が簡単・確実に行えるとともに、舟体１は刺身から染み出る血液等を吸収しないから衛生面の確保がなされる。  
【００２２】
更に、透明上板５は、平板９とこの上面９Ａに敷設する吸収紙１０からなり、刺身Ｓから染み出る血液・ドリップＤ等を効率良く吸収紙１０に回収して、下段の料理品Ｇに液漏れして垂れ落ちないから、見栄えを悪くしない上に衛生が確保される。そして、舟体の左右の部材３や舵１３が着脱可能に付設されているから、模型の舟体１でありながら、実際の舟体を十分に連想させられ、料理を食する者に実体に近い臨場感が豪快に与えられる。  
【００２３】
本考案の舟盛り料理用容器１００における実施の形態によると、下記の効果が奏される。まず、透明部材で舟体１を形成したから、舟強度や耐久性が得られる上に見た目も涼しげで船内の料理が映える。上記舟体底部１Ａの透明床板７と舟体上部に透明上板５を載せ、これらに料理が盛り付けされるから、上下二段の飾り付けで料理盛り付けの豪華さが演出できる。更に、透明床板７と透明上板５とは舟体１から分解できるから、使用後の洗浄が簡単・確実に行えて衛生面の確保ができる。
【００２４】
本考案の舟盛り料理用容器１００は、上記第１の実施の形態に限定されない。例えば、プラスチックの材質はアクリル樹脂に限定されず、各種の透明の合成樹脂材が使用可能である。また、舟体も和船がもっとも好ましいが、これに限定されず、他の種類の船の形状としても良い。更には、透明床板７や透明上板５の詳細な構成も適宜に設計変更が可能である。例えば、図６〜図９に示す第２の実施の形態の舟盛り料理用容器２００は、上記透明上板５を透明上板５０に設計変更したものである。この実施の形態では、上記透明上板５０は、図７に示すように、平板９を受皿板９０とし、厚手の吸収紙１０を簾の子５１に変更したものである。受皿板９０は浅い皿型断面を呈していて受面９０Ｂと、周囲に段部９０Ａを形成し、底面に脚９０Ｃ，９０Ｃを形成している。この段部９０Ａには、半透明プラスチックの多数本の細棒５１Ａを組糸５１Ｂで組み上げた簾の子５１が載せられる。しかして、刺身Ｓ等をこの簾の子５１に載せて並べた時に、刺身Ｓから出る血液・ドリップＤを簾の子５１の僅かな隙間から下の受皿板９０に滴下してキャッチすることができ、下段の料理Ｇを汚さないように工夫されている。更に、上記舟体１における中央位置等には、舟体の左右に渡した部材２の中央位置に帆１１が着脱可能に立てられ、船尾には舵１３が着脱可能に付設されている。また、帆１１の柱に大根を網状に調理した食材を船首から船尾に掛け渡すことにより豪華さを演出できる。これにより、舟体１に一層の臨場感が醸し出され、舟盛り料理の演出効果が得られるように工夫されている。
【００２５】
本考案の舟盛り料理用容器２００は、上記のように構成されており、以下のように作用して使用される。まず、透明部材により舟体１が形成されているから、見た目も涼しげであり、且つ又、船内の料理が見えるから見た目の料理が映える。また、上記舟体１内において、舟底１Ａ及び左右側壁に連続するリブ支持片３が付設されていることで、舟強度とその耐久性が得られる。更に、上記舟体１の舟底１Ａに料理盛り付け用の透明床板７を載せ、この下段側の船内料理が盛り付けされるとともに、上記舟体１における左右側壁１Ｂ，１Ｃのリブ支持片３の上部３Ａ，３Ｂに料理盛り付け用の透明上板５０を載せ、この上段側に船上料理が盛り付けされる。これにより、透明部材の舟体１と相俟って、上下二段の料理盛り付けにより、一段と豪華さが演出される。
【００２６】
そして、実際に舟盛り料理を食する時は、図８と図９に示すように、上段の透明上板５０を舟体１から取り外してテーブル２０上に並べられる。また、下段の透明床板７も同様に、舟体１から取り外してテーブル上に並べられる。これにより、舟盛り料理が更に一段と豪華に盛り立てられる。
【００２７】
また、宴会で舟盛り料理を装飾した容器の後片付けは、舟体１内の透明床板７と舟体上部の透明上板５０とが舟体から容易に分解されるため、使用後の洗浄が簡単・確実に行えるとともに、舟体１は刺身から染み出る血液等を吸収しないから衛生面の確保がなされる。
【００２８】
更に、透明上板５０は、受皿板９０とこの上に敷設する簾の子５１からなり、刺身Ｓから染み出る血液・ドリップＤ等を効率良く簾の子５１の隙間から受皿板９０に回収して、下段の料理Ｇに液漏れして垂れ落ちないから、見栄えを悪くしない上に衛生が確保される。そして、舟体１に、帆１１や舵１３が着脱可能に付設されているから、模型の舟体１でありながら、実際の舟体を十分に連想させられ、料理を食する者に実体に近い臨場感が豪快に与えられる。
【００２９】
更に、図１０に示す第３の実施の形態の舟盛り料理用容器３００は、透明上板５を透明上板６０のように設計変更したものである。この実施の形態では、吸収紙１０を多孔板６１に変更したものである。この多孔板６１には、小孔ｈまたはスリットｈ１が多数明けられていて、受皿板９０の段部９０Ａに置いて使用される。従って、刺身Ｓから染み出る血液・ドリップＤ等は、効率良く多孔板６１の小孔ｈまたはスリットｈ１の隙間から受皿板９０に回収されて、下段の料理Ｇに液漏れして垂れ落ちない。しかして、上記透明上板６０によるときも、上記第１の実施の形態と同一の作用・効果が得られる。
【産業上の利用可能性】
【００３０】
本考案は、その対象物を舟盛り料理用容器１００〜３００としての使用例で説明したが、様々な用途の盛り付け用の容器としての適用が可能である。例えば、御菓子や食料品の展示容器、更には宝舟としても適用できる。
【図面の簡単な説明】
【００３１】
【図１】本考案の第１の実施の形態を示し、舟盛り料理用容器の外観斜視図である。
【図２】本考案の第１の実施の形態を示し、舟盛り料理用容器の展開斜視図である。
【図３】本考案の第１の実施の形態を示し、舟盛り料理用容器の断面図である。
【図４】本考案の第１の実施の形態を示し、舟体と平板の断面図である。
【図５】本考案の第１の実施の形態を示し、平板の正面図である。
【図６】本考案の第２の実施の形態を示し、舟盛り料理用容器の外観斜視図である。
【図７】本考案の第２の実施の形態を示し、透明上板となる受皿板の斜視図である。
【図８】本考案の第２の実施の形態を示し、舟体と受皿板の断面図である。
【図９】本考案の第２の実施の形態を示し、受皿板の正面図である。
【図１０】本考案の第３の実施の形態を示し、透明上板となる受皿板と多孔板の斜視図である。
【符号の説明】
【００３２】
１                舟体
１Ａ              舟底
１Ｂ，１Ｃ        左右側壁
２                部材
３                リブ支持片
３Ａ，３Ｂ        上座部
５                透明上板
７                透明床板
７Ａ，７Ｂ        脚部
９                平板
９Ａ              上面
９Ｂ              脚部
１０              吸収紙
１１              帆
１３              舵
１５              飾台
２０              テーブル
５０              透明上板
５１              簾の子
５１Ａ            細棒
５１Ｂ            組糸
６０              透明上板
６１              多孔板
９０              受皿板
９０Ａ            段部
９０Ｂ            受面
９０Ｃ            脚部
１００〜３００    舟盛り料理用容器
Ｄ                血液・ドリップ
Ｇ                料理
ｈ                小孔
ｈ１              スリット
Ｓ                刺身
【図１】
0003119227.tif 000003
【図２】
0003119227.tif 000004
【図３】
0003119227.tif 000005
【図４】
0003119227.tif 000006
【図５】
0003119227.tif 000007
【図６】
0003119227.tif 000008
【図７】
0003119227.tif 000009
【図８】
0003119227.tif 000010
【図９】
0003119227.tif 000011
【図１０】
0003119227.tif 000012